(57)【要約】【課題】簡便な方法で水栓のスパウトから出る吐水の流し等への落下音を小さくしたり水撥ねを防止したりすることによる利用者の充足感を満たすべく吐水を分散化する吐水分散弁及び該吐水分散弁を具備する吐水分散装置を提供する。【解決手段】水栓のスパウト先端に取り付けられ、吐水の上流方向に山型部を有し、かつ複数の小孔が形成された散水器が挿入された吐水装置に配設される吐水装置用吐水分散弁であって、吐水の流路に対して垂直に配設されるフランジ部とフランジ部に連結する弁部とを有し、弁部が散水器の山型部と当接し、吐水装置の内周側と弁部の縁との間の開口部及びフランジ部の開口部を通って吐水が流れることにより吐水が分散される。【選択図】図３
2008285863.tif 000002
【特許請求の範囲】
【請求項１】
水栓のスパウト先端に取り付けられる吐水装置用吐水分散弁であって、
吐水の流路に対して垂直に該吐水装置の内周側に配設されるフランジ部と、
外周縁の一部が該フランジ部の内周縁の一部に連結し、該フランジ部の内周と同一形状である弁部と
を有し、
該吐水装置の内周側と該弁部の外周縁との間の開口部及び該フランジ部の開口部を通って吐水が流れることを特徴とする吐水分散弁。
【請求項２】
水栓のスパウト先端に取り付けられ、該スパウト先端方向に凹の山型部を有し、かつ複数の小孔が形成された散水器が挿入された吐水装置に配設される吐水装置用吐水分散弁であって、
吐水の流路に対して垂直に該吐水装置の内周側に配設されるフランジ部と、
外周縁の一部が該フランジ部の内周縁の一部に連結し、該フランジ部の内周と同一形状である弁部と
を有し、
該弁部は該散水器の山型部と当接して配設され、該吐水装置の内周側と該弁部の外周縁との間の開口部及び該フランジ部の開口部を通って吐水が流れることを特徴とする吐水分散弁。
【請求項３】
請求項１又は２記載の吐水分散弁において、該フランジ部が略円板環状であり、該フランジ部の内径が外径の５０〜９０％であり、かつ、該弁部が略円板状であり、該弁部の外径が該フランジ部の外径の５０〜９０％であることを特徴とする吐水分散弁。
【請求項４】
請求項１〜３のいずれか１項記載の吐水分散弁を具備することを特徴とする吐水装置。
【発明の詳細な説明】
【技術分野】
【０００１】
本発明は、水栓のスパウト先端に取り付けられて吐水を分散化する吐水分散弁及び該吐水分散弁を具備する吐水分散装置に関する。
【背景技術】
【０００２】
手洗装置、水栓の先端スパウトに取り付けられて吐水を泡沫化し、給水管や流し等への落下音を小さくしたり水撥ねをなくすために、給水管に連通して流れを旋回させる旋回流チャンバと、該旋回流チャンバのほぼ中央に開けた放出口によって該旋回流チャンバに連通する泡沫化チャンバと、該泡沫化チャンバに空気を吸引する空気流路と、該泡沫化チャンバの内周面に脈流防止機構を備えた泡沫吐出口が公知である（特許文献１）。
【０００３】
また、洗浄水流入口と、気泡流吐出口と、洗浄水流入口と気泡流吐出口の間で延在する洗浄水流路の途上に配設された空気混入機構と、空気混入機構の下流に配設された整流機構とを備え、空気混入機構は、複数の小孔が形成され洗浄水流路を塞いで配設された減圧板と、減圧板の下流の洗浄水流路囲壁に形成された空気孔と、減圧板の下流で漏斗状に縮径する洗浄水流路のテーパ部とを有し、整流機構は、テーパ部の下流端と気泡流吐出口との間で延在する洗浄水流路の整流部と、整流部に配設された整流格子とを有し、減圧板の小孔はテーパ部周壁へ差し向けられている泡沫吐水口が公知である(特許文献２）。
【特許文献１】特開平３−１６５８５４号公報
【特許文献２】国際公開第０１／６８９９５号パンフレット
【発明の開示】
【発明が解決しようとする課題】
【０００４】
しかしながら、前記の泡沫吐出口は、いずれもその構成が複雑である、従ってコスト高になるという問題があった。
より簡単な構成で吐水を分散させるために水栓のスパウト先端に整流網又は多数の小孔が穿設された散水器が備えられた吐水分散装置が使用されている。しかし、この吐水分散装置では、水流が強いときに均等に吐水を分散できないという問題があった。
【０００５】
定量装置等の節水装置が備えられた従来の吐水装置の断面図を図６に示す。吐水装置４０は、吐水口５に形成された雄ねじ部６に螺合して結合されるものであり、吐水口５に結合される第２部材１９と、該第２部材１９の内周側に挿入される定量装置３１と、該第２部材１９の外周側に形成された雄ねじ部２７に螺合して結合される第１部材１１を備えており、該第２部材１９の内周側には多数の小孔が穿設された山型形状の散水器１７が挿入されている。
【０００６】
このような定量装置３１が備えられた蛇口から出る吐水は、細く強い水流となるため、吐水装置からの吐水が偏り、均等に分散した泡沫状の吐水を得ることができないという問題があった。
【０００７】
従って、本発明は、以上のような問題点を解決するためになされたもので、簡便な方法で水栓のスパウトから出る吐水の流し等への落下音を小さくしたり水撥ねを防止したりすることによる利用者の充足感を満たすべく吐水を分散化する吐水分散弁及び該吐水分散弁を具備する吐水分散装置を提供することを課題とする。
【課題を解決するための手段】
【０００８】
本発明による吐水分散弁は、水栓のスパウト先端に取り付けられる吐水装置用吐水分散弁であって、吐水の流路に対して垂直に該吐水装置の内周側に配設されるフランジ部と、外周縁の一部が該フランジ部の内周縁の一部に連結し、該フランジ部の内周と同一形状である弁部とを有し、該吐水装置の内周側と該弁部の外周縁との間の開口部及び該フランジ部の開口部を通って吐水が流れることを特徴とする。
【０００９】
本発明による吐水分散弁では、吐水分散弁の弁部が吐水の流路に対して垂直に配設されるフランジ部に連結して取り付けられているので、水栓管の中央部を流れる吐水は弁部に衝突することにより吐水が管路の中央部から周囲に分散される。
【００１０】
本発明による別の吐水分散弁は、水栓のスパウト先端に取り付けられ、該スパウト先端方向に凹の山型部を有し、かつ複数の小孔が形成された散水器が挿入された吐水装置に配設される吐水装置用吐水分散弁であって、吐水の流路に対して垂直に該吐水装置の内周側に配設させるフランジ部と、外周縁の一部が該フランジ部の内周縁の一部に連結し、該フランジ部の内周と同一形状である弁部とを有し、該弁部は該散水器の山型部と当接して配設され、該吐水装置の内周側と該弁部の外周縁との間の開口部及び該フランジ部の開口部を通って吐水が流れることを特徴とする。
【００１１】
本発明による別の吐水分散弁では、吐水の上流に向けて山型部を有する散水器が挿入された吐水装置において該弁部が該散水器の山型部と当接して配設される構成を取るので、水栓管の中央部を流れる吐水は弁部に衝突することにより吐水が管路の中央部から周囲に予め分散された後、該散水器にてさらに分散化される。
【００１２】
本発明による吐水分散弁において、該フランジ部が略円板環状であり、該フランジ部の内径が外径の５０〜９０％であり、かつ、該弁部が略円板状であり、該弁部の外径が該フランジ部の外径の５０〜９０％であることが好ましい。フランジ部の内径が外径の５０％より小さいとその開口部に吐水が集中するため好ましくない。また、該弁部の外径が該フランジ部の外径の５０％より小さいと弁部での吐水の分散効果が低下し、９０％を超えると弁部の端と吐水装置の内周との開口部が小さくなるため、その小さな開口部に吐水が集中するため好ましくない。
【００１３】
本発明においては、吐水分散弁は、簡便かつ経済的に製造することができるため、略円板状の一部分を残して略同心円形状に切り抜かれることによって形成されるフランジ部と略円板形状の弁部を有することが好ましい。フランジ部の外径は、吐水装置内部の環状の通水路に挿入することができる大きさであればよいが、内径２０ｍｍの吐水口に使用する場合、フランジ部の外径は１８〜２０ｍｍ、フランジ部の内径及び弁部の外形は１２〜１６ｍｍが好ましい。厚さは０．５〜１．５ｍｍが好ましく、２．０ｍｍ以上になると弁としての作動が悪くなる。
【００１４】
本発明による吐水分散装置は、上記に記載のいずれかの吐水分散弁を具備することを特徴とする。
【発明の効果】
【００１５】
本発明による吐水分散弁は、吐水の流路に対して垂直に吐水装置の内周側に配設されるフランジ部と、外周縁の一部が該フランジ部の内周縁の一部に連結し、該フランジ部の内周と同一形状である弁部とを有し、該吐水装置の内周側と該弁部の外周縁との間の開口部及び該フランジ部の開口部を通って吐水が流れるので、本発明によれば、吐水が分散され、吐水による流し等への落下音を小さくしたり水撥ねを防止したりすることが低コストで可能となる。
【００１６】
本発明によれば、本発明による別の吐水分散弁は、吐水の流路に対して垂直に吐水装置の内周側に配設させるフランジ部と、外周縁の一部が該フランジ部の内周縁の一部に連結し、該フランジ部の内周と同一形状である弁部とを有し、該弁部が散水器の山型部と当接して配設され、該吐水装置の内周側と該弁部の外周縁との間の開口部及び該フランジ部の開口部を通って吐水が流れるので、通水路の中央の水流が前記弁部で分散された後、複数の小孔が形成された散水器に流れるのでより分散された吐水を得ることができ、吐水による流し等への落下音を小さくしたり水撥ねを防止したりすることが低コストで可能となる。
【発明を実施するための最良の形態】
【００１７】
以下、図面を参照して本発明をさらに詳細に説明するが、本発明は、これに限定されて解釈されるものではなく、本発明の範囲を逸脱しない限りにおいて、当業者の知識に基づいて、種々の変更、修正、改良を加え得る。
【実施例】
【００１８】
図１は、本発明による吐水分散弁１の実施例の構成を示す正面図である。図２は、図１のＡ−Ａ矢視断面図を示す。本実施例による吐水分散弁１は、フランジ部２と弁部３を有し、フランジ部２の外周と内周が同心円形の板状であり、略円形板状の弁部３がフランジ部２と一部分で連結している。フランジ部２の外形は取り付けるスパウトの口径によって異なるが、本実施例の吐水分散弁１は公称２０ｍｍのスパウト用であり、外径２０ｍｍ、内径１５ｍｍである。弁部３の外形は１５ｍｍでありフランジ部２と４ｍｍの幅を有して連結している。フランジ部２、弁部３の厚さは、いずれも０．５ｍｍである。
材質は、長期間使用しても変形しにくく、人体・環境に害を及ぼさないポリプロピレンである。
【００１９】
本発明による吐水分散弁１の製造方法としては、板状のポリプロピレン材料を外経２０ｍｍの円形の抜き型によって円盤状加工物を得て、次いで、外経が１５ｍｍであって外形の一部が４ｍｍ抜かれていない略円形の抜き型によって弁部を形成し、最後に打ち抜かれた弁部を本体から浮かすことによって製造できる。
【００２０】
本発明による吐水分散弁１の他の製造方法としては、直径が２０ｍｍと１５ｍｍの２つの円形の抜き刃を同心に有し、１５ｍｍの抜き刃の一部が４ｍｍ欠けている抜き型によって、板状のポリプロピレン材料を抜き型加工することによって一工程で製造することができる。
【００２１】
図３は、本発明による吐水装置の第１の実施例の構成を示す断面図である。なお、図３において、図１及び図２で用いた構成要素と同一の構成要素には同一符号を付し、その説明は省略する。本第１の実施例では、吐水装置１０は、吐水口５に形成された雄ねじ部６に螺合して結合されるものであり、吐水口５に結合される第１部材１１を備えている。
【００２２】
第１部材１１は両端を開口して内部が貫通した略円筒形で、吐水が通過する通水室１２の略中央には内部に向けて段部１３と通水室１２から水を外部へ吐水するための開口孔１４とが形成されている。
通水室１２には段部１３の上に、整流網１５ａ、パッキン部材１６、整流網１５ｂ、多数の小孔が穿設された山型形状の散水器１７、実施例の吐水分散弁１、水密用のシール部材１８が順に挿入、配置される。
【００２３】
以上のように、本第１の実施例に係る吐水装置１０は、第一部材１１の内周側において多数の小孔が穿設された山型形状の散水器１７の上流側に吐水分散弁１が配置され、第一部材１１が雌ねじ部１９で吐水口５の雄ねじ部６に螺着することにより、吐水口５に結合されているので、散水器１７と当接した吐水分散弁１の弁部３は通水室１２内で吐水の上流方向に押されるため、弁部３は開いた状態を保つ。このため、吐水装置１０内を流れる吐水が作用する水圧により弁部３が閉じることがないので、吐水は弁部３の外周面とフランジ部２の内周面の間にできる開口部を通ることによって、通水室１２の中央部の吐水は弁部３で通路を妨げられるとともに、予め分散されて、散水器１７に流れる。このことにより、散水器１７での分散効果はより向上するので開口孔２４から偏りの少ない泡沫状の吐水が得られる。
【００２４】
図４は、本発明による吐水装置の第２の実施例を示す断面図を示す。なお、図４において、図３で用いた構成要素と同一の構成要素には同一符号を付し、その説明は省略する。本第２の実施例では、吐水装置２０は、吐水口５に形成された雄ねじ部６に螺合して結合されるものであり、吐水口５に結合される第２部材２１と、第２部材２１の内周側に挿入される定量装置３１と、第２部材２１の外周側に結合される第１部材１１を備えている。
【００２５】
第２部材２１は、両端を開口して内部が貫通した略円筒形で、吐水が通過する通水室２２の下流部には内部に向けて段部２３、略中央には内部に向けて段部２４が形成されている。前記通水室２２の内周面の一方には雌ねじ部２５が形成され、段部２４に定量装置３１の外周フランジ部３６が配置され、定量装置３１に水密用のシール部材２６が配置された状態で、雌ねじ部２５を吐水口５の雄ねじ部６に螺着することにより、吐水器２０は吐水口５に結合される。また、雌ねじ部２５と反対側の外周面には雄ねじ部２７が形成されている。
【００２６】
定量装置３１の外径は第２部材２１の内径よりやや小径であり、内部に環状に通水路３２が開口して形成されている。定量装置３１の略中央外周面に形成される外部フランジ部３６を第２部材２１の段部２４に当接して配置される。
【００２７】
第１部材１１に形成される通水室１２には、多数の小孔が穿設された山型形状の散水器１７、吐水分散弁１、水密用のシール部材１８が順に挿入される。つまり、前記断部１３には、散水器１７のフランジ部１７ａ、吐水分散弁１のフランジ部２、水密用のシール部材１８が順に配置され、通水室１２の内周面には雌ねじ部１９が形成され、雌ねじ部１９は第２部材２１の雄ねじ部２７に螺着することにより、第１部材１１と第２部材２１は結合する。
【００２８】
本第２の実施例では、散水器１７は、吐水の上流部に多数の小孔が穿設された山型形状の散水部材１７ｂと下流部に多数の小孔が穿設されている平面形状の散水部材１７ｃを有する。
【００２９】
図５は、本発明による吐水装置の第２の実施例を示す分解説明図である。
定量装置３１は本体部材３３、調流部材３４、リング３５から構成されてなり、本体部材３３の略中央外周面には外部フランジ部３６が形成され、内周面には２の断部が形成され、リング３５、調流部材３４の上流部外周面に形成されたフランジ部が順に配置される。調流部材３４の上流部に環状に設けられた４つの開口部とその下流部に形成される調流部材３４の外周面とリング３５及び本体部材３３の内周面との間に形成される環状の通水路３２（図４に図示）を通って流量調整された吐水が流れる。
【００３０】
以上のように、本発明による第２の実施例の吐水装置は、定量装置３１の下流部に吐水分散弁１、次いで多数の小孔が穿設された山型形状の散水器１７が配置されている構成となるので、定量装置３１から吐水する細くて強い水流が直接散水器１７に流れることなく、吐水分散弁１の弁部３に衝突した吐水は弁部３の外周面とフランジ部２の内周面の間に形成される開口部を通って、予め分散されて、散水器１７に流れる。このことにより、散水器１７での分散効果はより向上するので開口孔２４から偏りの少ない泡沫状の吐水が得られる。
【産業上の利用可能性】
【００３１】
以上説明したように、本発明に係る吐水分散弁１は、既存の吐水器４０に装着して水栓スパウトからの吐水を分散させるために使用できる。また、本発明に係る吐水装置１０、２０は、水栓スパウトからの吐水を分散させるコンパクトな簡便な吐水装置を提供できる。
【図面の簡単な説明】
【００３２】
【図１】本発明による吐水分散弁１の実施例を示す平面図である。
【図２】本発明による吐水分散弁１の図１に示すＡ−Ａ矢視断面図である。
【図３】本発明による吐水装置の第１の実施例を示す断面図である。
【図４】本発明による吐水装置の第２の実施例を示す断面図である。
【図５】本発明による吐水装置の第２の実施例を示す分解説明図である。
【図６】従来の吐水装置器４０を示す断面図である。
【符号の説明】
【００３３】
１        吐水分散弁
２        フランジ部
３        弁部
１０、２０、４０        吐水装置
１１        第１部材
１７        散水器
２１        第２部材
３１        定量装置
【図１】
2008285863.tif 000003
【図２】
2008285863.tif 000004
【図３】
2008285863.tif 000005
【図４】
2008285863.tif 000006
【図５】
2008285863.tif 000007
【図６】
2008285863.tif 000008